(57)【要約】【課題】シンプルな構成であって、プロジェクタの水平を確実に確認および再現できる姿勢調整機構を供えたプロジェクタを提供する。【解決手段】プロジェクタ１は、光源部から射出された光束を画像信号に応じて変調して投射するための投射装置部を収容する下部外装３と、プロジェクタ１を載置する載置面１３に対する水平方向の傾きを調整して投射方向を変更するための水平調整脚部（姿勢調整機構）９と、を備えており、水平調整脚部９は、載置面１３に対向するスペーサ受部９３から突出して載置面１３と当接する接地部９１０を有し接地部９１０の突出長さを調整するための調整脚９１と、接地部９１０とスペーサ受部９３との間隙に挿入して該突出長さの基準長さを規定するためのスペーサ９２と、を有し、スペーサ９２は、スペーサ受部９３に移動可能に取り付けられ、該間隙へ挿入または該間隙から離反可能である。【選択図】図４
2009128468.tif 000002
【特許請求の範囲】
【請求項１】
光源部から射出された光束を画像信号に応じて変調して投射するための投射装置部を収容する筐体と、前記筐体を載置する載置面に対する前記筐体の傾きを調整して投射方向を変更するための姿勢調整機構と、を備えたプロジェクタであって、
前記姿勢調整機構は、
前記載置面に対向する前記筐体の外面から突出して前記載置面と当接する接地部を有し、前記接地部の前記外面からの突出長さを調整するための調整脚と、
前記接地部と前記外面との間隙に挿入して前記突出長さの基準長さを規定するためのスペーサと、を有し、
前記スペーサは、前記外面に移動可能に取り付けられ、前記間隙へ挿入または前記間隙から離反可能であることを特徴とするプロジェクタ。
【請求項２】
請求項１に記載のプロジェクタにおいて、
前記外面は、前記スペーサが係合して回転移動するための受孔を有し、
前記スペーサは、前記受孔と係合する係合部と、
前記調整脚を受容する切欠き部と、を有することを特徴とするプロジェクタ。
【請求項３】
請求項１または請求項２に記載のプロジェクタにおいて、
前記調整脚は、前記接地部から延在しねじ部が外周面に形成された軸部を有し、
前記外面は、前記軸部と螺合するねじ部が内周面に形成された軸孔を有することを特徴とするプロジェクタ。
【請求項４】
請求項１から請求項３のいずれか一項に記載のプロジェクタにおいて、
前記スペーサおよび前記外面は、前記スペーサを前記間隙への挿入位置または前記間隙からの離反位置に保持するための位置決め部をそれぞれ有することを特徴とするプロジェクタ。
【請求項５】
請求項１から請求項４のいずれか一項に記載のプロジェクタにおいて、
前記外面は、前記スペーサを受けるために台状に突出したスペーサ受部を有することを特徴とするプロジェクタ。
【発明の詳細な説明】
【技術分野】
【０００１】
本発明は、筐体の傾きを調整する姿勢調整機構を備えたプロジェクタに関する。
【背景技術】
【０００２】
従来、プロジェクタは、スクリーンの適切な位置へ映像を拡大投射するために、筐体に設けられている脚部の突出量を調節して、投射方向の補正を行っていた。この内、スクリーンの水平方向に対して、投射する映像の傾きを調整するために、突出量が規定された固定脚部と、突出量の調整が可能な調整脚部と、を用いて、筐体の傾きを補正する姿勢調整機構が知られている。この場合、調整脚部は、筐体の内部に筒状に形成され筐体外部と連通した内筒側にねじ山を有するボスと、ボスのねじ山に螺合する軸部および軸部の筐体外部側に設けられた接地部からなる脚部と、を有している。調整脚部は、脚部の接地部を回転させると、回転の方向に応じて軸部がボスの内筒を進退する。従って、接地部の筐体からの突出量は、接地部の回転に準じて調整される。
【０００３】
さらに、調整脚部のボスの内筒には、略半球形状の突起が形成され、軸部には、突起と係合するための凹部が形成されている。この構成において、軸部が内筒を進退して、突起と凹部とが係合すると、クリック感が生じる。このクリック感が生じた時の接地部の突出量は、固定脚部の突出量と同一となるように設定されている。そのため、筐体が固定脚部と調整脚部とにより水平に保持されている状態か否かの判断を、容易に行える。このような調整脚部を備えたプロジェクタは、基準となる水平状態を、即時且つ簡単に再現することが可能である（例えば特許文献１）。
【０００４】
【特許文献１】特開２００５−２３４３０７号公報
【発明の開示】
【発明が解決しようとする課題】
【０００５】
しかし、従来の技術では、筐体にねじ山および突起を有するボスを形成することや、ボスと螺合する軸部に突起が係合する凹部を形成すること等が必要であるため、部品形状が非常に複雑になってしまう、という課題があった。また、モバイルタイプの小型プロジェクタでは、突出量の調整が頻繁に行われるため、突起と凹部とが磨耗してクリック感が感じられなくなり、基準となる水平状態の確認が困難である、という課題もあった。
【課題を解決するための手段】
【０００６】
本発明は、上記課題の少なくとも一部を解決するためになされたものであり、以下の適用例または形態として実現することが可能である。
【０００７】
［適用例１］本適用例にかかるプロジェクタは、光源部から射出された光束を画像信号に応じて変調して投射するための投射装置部を収容する筐体と、前記筐体を載置する載置面に対する前記筐体の傾きを調整して投射方向を変更するための姿勢調整機構と、を備えたものであって、前記姿勢調整機構は、前記載置面に対向する前記筐体の外面から突出して前記載置面と当接する接地部を有し、前記接地部の前記外面からの突出長さを調整するための調整脚と、前記接地部と前記外面との間隙に挿入して前記突出長さの基準長さを規定するためのスペーサと、を有し、前記スペーサは、前記外面に移動可能に取り付けられ、前記間隙へ挿入または前記間隙から離反可能であることを特徴とする。
【０００８】
このプロジェクタによれば、筐体の外面から突出している調整脚を有する姿勢調整機構を備えていて、調整脚の接地部の突出長さを変えることにより、筐体の傾き具合の調整が行える構成である。従って、プロジェクタは、筐体の傾きに応じて投射方向を自在に変更でき、所望の位置に映像を投射することが可能である。また、姿勢調整機構は、スペーサを有していて、このスペーサを接地部と筐体の外面との間隙に挿入して、接地部と、外面との間にスペーサを挟みこむようにすれば、基準の長さに規定される。このように、スペーサを挟みこむ簡便な構成により、調整脚の突出長さは、容易に且つ確実に、基準位置に合わせることができる。また、このスペーサは、移動可能に筐体の外面へ取り付けられているため、スペーサを接地部と筐体の外面との間隙から離反させれば、調整脚の突出長さを、さらに短くすることが可能である。この場合、スペーサを間隙から離反させても、スペーサは、筐体に取り付けられた状態のままで移動するため、スペーサを紛失する恐れがない。そして、調整脚の接地部がスペーサを挟んで基準の長さとなる場合に、筐体が水平状態となる設定にしておくと、調整脚を種々の突出長さに変えてプロジェクタを使用した後であっても、スペーサを接地部と筐体の外面との間隙に挿入して調整脚で挟み込めば、筐体を水平状態へ容易に戻すことが可能である。
【０００９】
［適用例２］上記適用例にかかるプロジェクタにおいて、前記外面は、前記スペーサが係合して回転移動するための受孔を有し、前記スペーサは、前記受孔と係合する係合部と、前記調整脚を受容する切欠き部と、を有することが好ましい。
【００１０】
この構成によれば、スペーサの移動は、筐体の外面に設けられた受孔と係合する係合部を中心に回転することにより行われる。スペーサが調整脚から離反した位置から調整脚の方向へ回転すると、スペーサの切欠き部が調整脚を抱き込むように受容する。こうして、調整脚の接地部と筐体の外面との間隙にスペーサが挿入される。この状態において、接地部が筐体の外面との間にスペーサの切欠き部近傍を挟み込めば、調整脚の突出長さが確実に規定される。姿勢調整機構は、スペーサの移動が係合部を中心とした回転によって行われるため、スペーサの取り付け構成が簡便であり、スペーサを移動させる操作等も容易に行える。
【００１１】
［適用例３］上記適用例にかかるプロジェクタにおいて、前記調整脚は、前記接地部から延在しねじ部が外周面に形成された軸部を有し、前記外面は、前記軸部と螺合するねじ部が内周面に形成された軸孔を有することが好ましい。
【００１２】
この構成によれば、調整脚の突出長さの調整は、調整脚の軸部が軸部と螺合する軸孔に沿って進退することにより、行われる。調整脚は、軸部および軸孔のねじ部同士の噛み合いにより、突出長さを無段階で調整可能であり、さらに、筐体の姿勢を保って、筐体を載置面上に安定して支持することが可能である。
【００１３】
［適用例４］上記適用例にかかるプロジェクタにおいて、前記スペーサおよび前記外面は、前記スペーサを前記間隙への挿入位置または前記間隙からの離反位置に保持するための位置決め部をそれぞれ有することが好ましい。
【００１４】
この構成によれば、スペーサは、位置決め部により、挿入位置または離反位置に確実に保持されるため、いずれの位置にスペーサがあっても、調整脚を調整する時にその操作の妨げとならない。さらに、プロジェクタを移動させる場合等において、スペーサが自由に移動して調整脚や筐体等に当接し、騒音等を発するようなことがない。また、スペーサの保持されている位置を目視で確認するだけで、調整脚が規定の突出長さの状態であるか、規定以外の突出長さの状態であるか、を判断することが可能である。
【００１５】
［適用例５］上記適用例にかかるプロジェクタにおいて、前記外面は、前記スペーサを受けるために台状に突出したスペーサ受部を有することが好ましい。
【００１６】
この構成によれば、スペーサ受部の部分は、筐体の外面の厚みが増加しており、それに伴い、スペーサや調整脚の取り付け強度の向上が図られている。従って、スペーサ受部の部分に設けられたスペーサおよび調整脚は、耐久性および耐衝撃性等に優れ、姿勢調整機構として、長期間、安定して機能する。また、スペーサ受部は、筐体の他の外面より突出しており、スペーサを移動させる操作や調整脚を調整する操作が行い易い構成となっている。
【発明を実施するための最良の形態】
【００１７】
以下、プロジェクタの具体的な実施形態について図面に従って説明する。本実施形態のプロジェクタは、光源部から射出された光束を画像信号に応じて変調して投射するための投射装置部等の機構部を収容する筐体を備え、筐体の姿勢の傾きを調整するための姿勢調整機構の構成に特徴を有している。
（実施形態）
【００１８】
図１（ａ）は、本実施形態にかかるプロジェクタを正面上方から見た斜視図であり、図１（ｂ）は、プロジェクタを正面下方から見た斜視図である。図１に示すように、プロジェクタ１は、略直方体形状の外観をなしていて、プロジェクタ１の機構部を収容する筐体である上部外装２と、下部外装３と、を有している。上部外装２は、プロジェクタ１の上部側に配置され、上面、正面、背面、右側面および左側面を形成している。上部外装２の上面には、背面側左方に位置し、光源部のランプを交換するために開閉可能な光源蓋２ａと、上面の略中央部に位置し、プロジェクタ１を操作するための操作ボタン類を有する操作部２ｂと、正面側右方にあって開閉取っ手１０ａにより開閉自在にスライドして、開状態において投射部４５からの光束の投射を可能にし、閉状態において塵埃等の投射部４５への付着を防止するための投射部カバー１０と、が設けられている。
【００１９】
そして、下部外装３は、プロジェクタ１の正面、右側面、左側面、背面および下面を形成している。下部外装３の下面（外面）３ａには、投射部４５の直下に、機構部を冷却する冷却空気を筐体の内部へ取り入れるための吸気口５が設けられ、左側面には、機構部を冷却した冷却空気を排気するための排気口６が設けられている。さらに、下面３ａには、正面側中央に位置し、筐体の正面と背面とを結ぶ方向の傾きを調整して、投射部４５から投射される光束の上下方向の煽りを調整する上下調整脚部７と、背面側右方に位置し、下面３ａから所定の長さだけ突出している固定脚部８と、背面側左方に位置し、筐体の左右方向の傾きを調整して、投射部４５から投射される光束の水平方向の煽りを調整する水平調整脚部（姿勢調整機構）９と、が設けられている。この水平調整脚部９は、姿勢調整機構として機能し、固定脚部８と協同することによりプロジェクタ１の水平方向の煽りを調整する。また、下面３ａの正面右側には、プロジェクタ１を無線制御するリモコンに対応する受信部１１が設けられている。このプロジェクタ１は、光束が投射されるスクリーン等を見る側と同じ側に設置されるいわゆるフロントタイプのものである。
【００２０】
次に、筐体の内部に収容されている機構部について説明する。図２は、プロジェクタの機構部の構成を示す斜視図である。図２に示すように、プロジェクタ１の機構部は、吸気口５（図１）から冷却空気を吸引して取り入れるための吸気ファン１５と、吸気ファン１５が取り込んだ冷却空気を機構部へ導くためのダクト１７と、吸気ファン１５に隣接し光束を投射する投射部４５と、下部外装３の正面左方にあって一端が排気口６（６ｂ）と対向して位置する電源部１８と、電源部１８の背面側に排気口６（６ａ）に対して斜めに対向して位置する排気ユニット１６と、を有している。さらに、機構部は、排気ユニット１６から投射部４５にかけて上面側から見て略Ｌ字状に配置された光学ユニット（投射装置部）４（４１，４２，４３，４４，４５）と、光学ユニット４の上方に設けられた回路基板２０と、回路基板２０の背面側に設けられ、外部機器とプロジェクタ１とを接続するための数種の端子を有するコネクタ部２１と、スピーカ１９と、を有している。
【００２１】
プロジェクタ１の機構部の主部である光学ユニット４は、排気ユニット１６の近傍にあり光源部を有するインテグレータ照明部４１と、色分離部４２と、リレー光学部４３と、３枚の液晶パネル（不図示）を光学変調素子として有する光学変調部４４と、光学変調部４４に接続されている投射部４５と、で構成されている。このような構成の光学ユニット４は、略Ｌ字状の支持体に収容されて、下部外装３の内底面に載置されている。
【００２２】
ここで、光学ユニット４の機能について、簡単に説明する。インテグレータ照明部４１は、光源部の光源ランプから光束を射出し、光学変調部４４において、赤、緑、青の色光にそれぞれ対応して設けられている３枚の液晶パネルの画像形成領域を、光束がほぼ均一に照明するための光学系である。また、色分離部４２は、インテグレータ照明部４１から射出された光束を赤、緑、青の３色の色光に分離するための光学系である。次のリレー光学部４３は、色分離部４２で分離された色光の内、液晶パネルまでの経路の長い色光を導く機能を有する光学系であり、この場合赤色光がリレー光学部４３へ導かれている。そして、光学変調部４４は、３枚の液晶パネルによって、それぞれの色光を画像情報に応じて変調して光学像を形成し、さらに、クロスダイクロイックプリズムによって、色光毎に変調された光学像を合成してカラー画像を形成するための光学系である。このようにして形成されたカラー画像は、投射部４５の投射レンズによって拡大して投射され、スクリーンに映像として映し出される。
【００２３】
プロジェクタ１は、光学ユニット４の投射部４５から投射されるカラー画像を、スクリーンの適切な位置へ拡大投射する必要があり、上下調整脚部７、固定脚部８および水平調整脚部９によって投射方向の煽りの調整を行う。以下では、プロジェクタ１の煽りを調整する姿勢調整機構の例である水平調整脚部９について説明する。図３は、水平調整脚部の調整脚、スペーサおよびスペーサ受部の詳細を示す斜視図であり、図４は、水平調整脚部の組立構成を示す断面図である。図３に示すように、水平調整脚部９は、調整脚９１と、スペーサ９２と、スペーサ受部９３と、を有していて、調整脚９１と、下部外装３から台状に突出したスペーサ受部９３と、によって、スペーサ９２を挟持する構成である。この場合、スペーサ受部９３は、下部外装３の下面３ａの一部を構成している。
【００２４】
調整脚９１は、下部外装３が載置される載置面１３（図４）と当接して下部外装３を支持する接地部９１０と、接地部９１０から延在する円柱状の軸部９１２と、軸部９１２の外周に形成されたねじ溝（ねじ部）９１４と、を有している。また、接地部９１０は、載置面１３と対向して当接する当接面９１１と、接地部９１０の外周側に設けられたローレット部９１３と、接地部９１０の当接面９１１と反対側に設けられスペーサ９２を挟持するためのスペーサ挟持面９１５と、を有している。
【００２５】
スペーサ９２は、略楕円形の板状であって、スペーサ受部９３に対向する平板面と、略楕円形を構成する２つの半円部の厚みがそれぞれ異なって段状をなしている段差板面と、を有している。平板面の板厚の薄い側には、スペーサ９２をスペーサ受部９３へ回転自在に取り付けるために立設された係合部９２１と、回転移動したスペーサ９２を所定の位置へ位置決めするための半球状の凸部（位置決め部）９２５と、が設けられ、段差板面の板厚の厚い側には、調整脚９１の軸部９１２を抱き込むように受容するためのＵ字状の切欠き部９２３が設けられている。そして、係合部９２１は、円筒を切欠いた円弧状の２つの立片であり、立片の先端には、円筒の外筒方向へＬ字状に形成された抜け止め部９２２が設けられている。また、切欠き部９２３には、スペーサ９２を回転させる場合に把持するための突起９２４が設けられている。
【００２６】
スペーサ受部９３は、スペーサ受部および下部外装３を貫通する内筒部（受孔）９３５へスペーサ９２の係合部９２１が係合するように、下部外装３の内側方向へ立設された円筒である係合ボス９３１と、係合ボス９３１と隣接して下部外装３の内側方向へ立設された円筒であって、スペーサ受部９３および下部外装３を貫通する内筒部（軸孔）９３６にねじ山（ねじ部）９３３が設けられており、ねじ溝９１４を有する調整脚９１の軸部９１２が内筒部９３６へ螺合する軸ボス９３２と、を有している。また、スペーサ受部９３は、スペーサ９２の凸部９２５に係合し、スペーサ９２の切欠き部９２３を軸ボス９３２の内筒部９３６の位置、即ち挟持位置（挿入位置）へ位置決めするための凹部９３４ａと、スペーサ９２の切欠き部９２３を内筒部９３６から離反した位置へ位置決めするための凹部９３４ｂと、を有している。
【００２７】
このような構成の調整脚９１、スペーサ９２およびスペーサ受部９３を組み立てた水平調整脚部９が図４に示されている。この図４の場合、水平調整脚部９は、スペーサ９２が調整脚９１のスペーサ挟持面９１５によって、スペーサ受部９３へ押圧されて挟持された状態である。調整脚９１の軸部９１２は、軸部９１２のねじ溝９１４が軸ボス９３２の内筒部９３６に形成されたねじ山９３３と螺合した状態であり、調整脚９１の回転に応じて内筒部９３６を進退する。なお、調整脚９１の接地部９１０に形成されたローレット部９１３は、ユーザによる調整脚９１の回転を容易にするためのものである。また、軸部９１２のねじ溝９１４と螺合する内筒部９３６のねじ山９３３は、内筒部９３６に対して１周に満たない長さで形成されている。こうすれば、下部外装３をプラスチック成型する時に、特殊なねじ成型を行うことなく、容易に成形できる。
【００２８】
また、調整脚９１のねじ溝９１４が形成された軸部９１２は、軸部９１２の先端を除いた先端近傍において、数周分に渡ってねじ溝９１４が形成されていない凹部分を有している。調整脚９１が内筒部９３６を進退して、凹部分に内筒部９３６のねじ山９３３がかかると、螺合が解消されて、調整脚９１の突出が止まる。つまり、この時点の調整脚９１の突出長さが、最大長さである。この状態において、プロジェクタ１が持ち上げられ、当接面９１１が載置面１３から離れたとしても、軸部９１２の先端がねじ山９３３に係合するため、調整脚９１の抜け落ちを防止できる。
【００２９】
ここで、スペーサ９２の切欠き部９２３が挟持位置から離反している状態から、図４に示すように挟持位置に位置決めされた状態に至るまでの過程について説明する。まず、スペーサ９２は、係合ボス９３１の内筒部９３５に係合している係合部９２１を中心にして回転する。この時、ユーザは、スペーサ９２の突起９２４を把持することにより、スペーサ９２の回転を容易に行える。そして、スペーサ９２が、スペーサ受部９３と調整脚９１の接地部９１０との間隙へ移動すると、スペーサ９２の凸部９２５とスペーサ受部９３の凹部９３４ａとが係合する。この係合により、スペーサ９２は、挟持位置であるスペーサ受部９３と接地部９１０との間隙へ位置決めされる。
【００３０】
スペーサ９２が位置決めされた挟持位置は、スペーサ９２の切欠き部９２３が内筒部９３６を進退可能な調整脚９１の軸部９１２に当接し、軸部９１２を受容する位置であり、切欠き部９２３は、軸ボス９３２の内筒部９３６と対向している。そして、調整脚９１が下部外装３の内部方向へ進むように回転すると、接地部９１０のスペーサ挟持面９１５は、スペーサ９２をスペーサ受部９３との間に挟持する。調整脚９１がスペーサ９２を挟持した状態では、調整脚９１の当接面９１１が当接する載置面１３と、下部外装３の下面３ａとの距離である調整脚９１の突出長さＬ１は、常に再現性のある一定値に規定することができる。よって突出長さＬ１を基準長さとすることができる。
【００３１】
次に、水平調整脚部９が突出長さＬ１である場合のプロジェクタ１の姿勢について説明する。図５（ａ）は、水平に載置されたプロジェクタを示す正面図、図５（ｂ）は、突出長さＬ１の水平調整脚部を示す斜視図である。図５（ａ）に示すプロジェクタ１の状態は、スペーサ９２を挟持した突出長さＬ１である水平調整脚部９と、突出長さＬ１と同一値に突出長さが固定設定されている固定脚部８と、により、基準となるべき水平状態に載置されている。即ち、この状態において、水平調整脚部９を目視しただけで、プロジェクタ１が基準となるべき水平状態であるか否を、即、判断することができ、載置面１３が水平であれば、プロジェクタ１を載置面１３と同様の水平状態に容易に設定することができる。
【００３２】
そして、図５（ｂ）に示すように、水平調整脚部９は、調整脚９１が従来用いられていたものとほぼ同様な大きさの外観である。また、水平調整脚部９は、調整脚９１を回転させて突出長さＬ１への調整が容易に行えるように、スペーサ９２およびスペーサ受部９３が、下部外装３の下面３ａにコンパクトに且つ目立たないように設けられている。さらに、スペーサ９２の凸部９２５およびスペーサ受部９３の凹部９３４が、スペーサ９２とスペーサ受部９３との間の目視不可である領域において機能する。このような外観および構成を有する水平調整脚部９は、プロジェクタ１の外観をほとんど損ねることなく、下面３ａに設置することができる。
【００３３】
また、図６（ａ）は、水平調整脚部の突出長さを長くして載置したプロジェクタを示す正面図、図６（ｂ）は、基準より長い突出長さの水平調整脚部を示す斜視図である。図６（ａ）は、図５（ａ）に比べて、上部外装２および下部外装３の左側面の側を、載置面１３からさらに離した状態にして、プロジェクタ１の水平方向の煽りを調整する場合を示している。この場合、プロジェクタ１は、固定脚部８が突出長さＬ１のままであるが、水平調整脚部９の調整脚９１が突出長さＬ２であり、固定脚部８の突出長さＬ１より長くなっている。つまり、調整脚９１は、軸部９１２がスペーサ９２から突出して露出し、目視できる状態であって、プロジェクタ１は、載置面１３に対して、左側面の側を高くして傾斜している。
【００３４】
図６（ａ）および図６（ｂ）に示すように、調整脚９１の突出長さを、突出長さＬ１から突出長さＬ２へ変更する場合には、軸ボス９３２の内筒部９３６（図４）と螺合している調整脚９１を、下部外装３の外部方向へ退くように回転させる。これにより、プロジェクタ１は、水平方向の煽りが調整され、投射部４５から投射されるカラー画像を、スクリーンの水平方向と合致するように調整して、拡大投射できる。さらに、スペーサ９２は、調整脚９１による押圧が解除されても、凸部９２５と凹部９３４ａ（図４）とが係合状態を維持するため、スペーサ受部９３の同位置に保持される。そのため、スペーサ９２は、勝手に回転移動するなどして、調整作業を妨げる動きをしない。なお、スペーサ９２は、凸部９２５が凹部９３４ａではなく凹部９３４ｂ（図３）と係合する位置にあっても、調整作業に影響を及ぼさない。
【００３５】
また、図７（ａ）は、水平調整脚部の突出長さを短くして載置したプロジェクタを示す正面図、図７（ｂ）は、基準より短い突出長さの水平調整脚部を示す斜視図である。図７（ａ）は、図５（ａ）および図６（ａ）に比べて、上部外装２および下部外装３の左側面の側を、載置面１３へさらに近づけた状態にして、プロジェクタ１の水平方向の煽りを調整する場合を示している。この場合、プロジェクタ１は、固定脚部８が突出長さＬ１のままであるが、水平調整脚部９の調整脚９１が突出長さＬ３であり、固定脚部８の突出長さＬ１より短くなっている。従って、プロジェクタ１は、載置面１３に対して、左側面の側が固定脚部８より低くなって傾斜している。
【００３６】
次に、水平調整脚部９が図５に示す状態において、調整脚９１の突出長さを、突出長さＬ１から突出長さＬ３へ変更する場合について説明する。この場合、一旦、軸ボス９３２の内筒部９３６（図４）と螺合している調整脚９１を、下部外装３の外部方向へ退くように回転させて、スペーサ９２に対する調整脚９１の押圧を解除する。次に、スペーサ９２を挟持位置から離反させる。この時、スペーサ９２の突起９２４を把持すれば、容易にスペーサ９２を回転させることができる。また、離反したスペーサ９２は、凸部９２５（図３）がスペーサ受部９３の凹部９３４ｂ（図３）と係合して、切欠き部９２３が調整脚９１から離反した状態に位置決めされる。そして、その後、調整脚９１を、下部外装３の内部方向へ進むように回転させて、調整脚９１が突出長さＬ３となるように調整する。
【００３７】
同様に、水平調整脚部９が図６に示す状態において、調整脚９１の突出長さを、突出長さＬ２から突出長さＬ３へ変更する場合には、まず、突起９２４（図３）を利用して、スペーサ９２を挟持位置から離反させる。次に、軸ボス９３２の内筒部９３６と螺合している調整脚９１を、下部外装３の外部方向へ退くように回転させて、調整脚９１が突出長さＬ３となるように調整する。
【００３８】
このように、調整脚９１の突出長さを、突出長さＬ１またはＬ２から突出長さＬ３へ変更することにより、プロジェクタ１は、水平方向の煽りを図６に示す方向と異なる方向へ調整でき、投射部４５から投射されるカラー画像を、スクリーンの水平方向と合致させて拡大投射できる。また、スペーサ９２は、凸部９２５が凹部９３４ｂと係合しており、切欠き部９２３が調整脚９１から離反した位置に保持されているため、調整脚９１の調整作業を妨げることがない。さらに、スペーサ９２は、図７に示すようにスペーサとして機能していない状態の場合でも、スペーサ受部９３との係合状態を維持しているため、紛失等の発生の恐れがない。
【００３９】
以下、実施形態における主な効果をまとめて記載する。
【００４０】
プロジェクタ１の水平調整脚部９（姿勢調整機構）は、スペーサ９２を有していて、調整脚９１を種々の突出長さに変えた後であっても、調整脚９１がスペーサ９２をスペーサ受部９３との間に挟持することにより、調整脚９１を基準の突出長さＬ１に戻すことができる。これにより、プロジェクタ１を基準の水平状態とすることが容易にでき、ユーザにとって、プロジェクタ１の姿勢を調整する操作性も向上する。
【００４１】
調整脚９１は、軸ボス９３２の内筒部９３６と螺合していて、ねじ係合によって突出長さを無段階で調整できると共に、プロジェクタ１を載置面１３に安定して支持することができる。また、スペーサ９２は、回転可能にスペーサ受部９３と常に係合しているため、スペーサとして機能していない時であっても、紛失等の恐れがない。
【００４２】
プロジェクタ１は、スペーサ９２が凸部９２５および凹部９３４により、挟持位置等に確実に位置決めされる。そのため、調整脚９１の調整時やプロジェクタ１の移動または収納時等において、スペーサ９２が調整等の妨げにならない。
【００４３】
また、プロジェクタ１は上記の実施形態に限定されるものではなく、次に挙げる変形例のような形態であっても、実施形態と同様な効果が得られる。
【００４４】
プロジェクタ１において、水平調整脚部９のスペーサ９２は、係合部９２１が係合ボス９３１の内筒部９３５と係合して回転する構成であるが、この構成に限定されるものではなく、スペーサ９２とスペーサ受部９３とがピン等で回転可能に軸支される構成であっても良い。この構成によれば、スペーサ９２の取り付けをより簡便にすることができる。
【００４５】
さらに、スペーサ９２は、係合部９２１を中心に回転移動する構成に限定されるものではなく、スライド式等による方式によって移動する構成であっても良い。
【００４６】
水平調整脚部９は、軸ボス９３２の内筒部９３６に形成されたねじ山９３３を有しており、このねじ山９３３は、成型し易いように１周未満に設定されているが、複数周のねじ山９３３に形成されていても良い。成型等の工数が増えるが、調整脚９１との螺合強度を向上させて、大型のプロジェクタ１の支持にも余裕を持って対応できる。
【００４７】
また、スペーサ受部９３は、スペーサ９２が挟持位置へ位置する場合にのみ、スペーサ９２の全域を受ける形状に設定されているが、スペーサ９２が挟持位置以外に位置する場合においても、スペーサ９２の全域を受けるような大きさの形状であっても良い。これにより、スペーサ９２は、挟持位置以外に位置しても、切欠き部９２３が宙に浮いた状態にならず、安定して保持される。
【００４８】
そして、スペーサ受部９３は、下部外装３の外側に形成されているが、下部外装３の内側に形成された構成であっても良い。また、台状に突起したスペーサ受部９３の突出量を増やし、係合ボス９３１および軸ボス９３２を廃止した構成であっても良い。さらに、プロジェクタ１が小型軽量の場合において、係合ボス９３１および軸ボス９３２だけでなくスペーサ受部９３も廃止し、下部外装３に、直接、内筒部９３５，９３６を設ける構成であっても良い。これらによれば、スペーサ９２の機能を維持したまま、プロジェクタ１によって、多様なスペーサ受部９３の構成を選択することができる。
【００４９】
また、水平調整脚部９と協同してプロジェクタ１の水平方向の姿勢を保持する固定脚部８は、突出長さが固定された構成であるが、水平調整脚部９と同じ構成を有し、突出長さが調整可能であっても良い。こうすれば、プロジェクタ１の水平方向の傾きを、より大きく調整することができる。
【００５０】
プロジェクタ１は、光学変調部４４として液晶パネルを用いているが、液晶パネル以外のマイクロミラー等のデバイスを用いても良い。この対応により、水平調整脚部９は、種々の光学変調部を有するプロジェクタにも備えることが可能となる。
【図面の簡単な説明】
【００５１】
【図１】（ａ）本実施形態にかかるプロジェクタを正面上方から見た斜視図、（ｂ）プロジェクタを正面下方から見た斜視図。
【図２】プロジェクタの機構部の構成を示す斜視図。
【図３】水平調整脚部の調整脚、スペーサおよびスペーサ受部の詳細を示す斜視図。
【図４】水平調整脚部の組立構成を示す断面図。
【図５】（ａ）水平に載置されたプロジェクタを示す正面図、（ｂ）突出長さＬ１の水平調整脚部を示す斜視図。
【図６】（ａ）水平調整脚部の突出長さを長くして載置したプロジェクタを示す正面図、（ｂ）基準より長い突出長さの水平調整脚部を示す斜視図。
【図７】（ａ）水平調整脚部の突出長さを短くして載置したプロジェクタを示す正面図、（ｂ）基準より短い突出長さの水平調整脚部を示す斜視図。
【符号の説明】
【００５２】
１…プロジェクタ、２…上部外装、３…下部外装、３ａ…下面、４…光学ユニット、７…上下調整脚部、８…固定脚部、９…水平調整脚部、１３…載置面、９１…調整脚、９２…スペーサ、９３…スペーサ受部、９１０…接地部、９１１…当接面、９１２…軸部、９１３…ローレット部、９１４…ねじ溝、９２１…係合部、９２２…抜け止め部、９２３…切欠き部、９２４…突起、９２５…凸部、９３１…係合ボス、９３２…軸ボス、９３３…ねじ山、９３４ａ，９３４ｂ…凹部、９３５，９３６…内筒部。
【図１】
2009128468.tif 000003
【図２】
2009128468.tif 000004
【図３】
2009128468.tif 000005
【図４】
2009128468.tif 000006
【図５】
2009128468.tif 000007
【図６】
2009128468.tif 000008
【図７】
2009128468.tif 000009